(57)【要約】【課題】転てつ器に関連付けられた分岐点部品を有する軌道回路部品の表示条件を示す表示条件データを容易に作成することができる情報処理装置および情報処理方法を得ること。【解決手段】情報処理装置である表示条件データ作成装置２は、データ取得部２１と、形状判定部２２と、データ生成部２３とを備える。形状判定部２２は、データ取得部２１で取得された軌道回路部品のデータに含まれる線分部品の分岐点部品への接続条件を示す情報に基づき、軌道回路部品の形状を判定する。データ生成部２３は、形状判定部２２で判定された軌道回路部品の形状と接続条件を示す情報とに基づき、転てつ器の状態と線分部品とが関連付けられた線分部品の表示条件を含む軌道回路部品の表示条件データを生成する。【選択図】図５
2019119349.tif 000002
【特許請求の範囲】
【請求項１】
鉄道路線の運行管理画面に表示される前記鉄道路線の配線図のデータに含まれ且つ転てつ器に関連付けられる分岐点部品と前記分岐点部品に接続される線分部品とで構成される軌道回路部品のデータを取得するデータ取得部と、
前記データ取得部で取得された前記軌道回路部品のデータに含まれる前記線分部品の前記分岐点部品への接続条件を示す情報に基づき、前記軌道回路部品の形状を判定する形状判定部と、
前記形状判定部で判定された前記軌道回路部品の形状と前記接続条件を示す情報とに基づき、前記転てつ器の状態と前記線分部品とが関連付けられた前記線分部品の表示条件を含む前記軌道回路部品の表示条件データを生成するデータ生成部と、を備える
ことを特徴とする情報処理装置。
【請求項２】
前記形状判定部は、
前記線分部品が共通に接続される複数の分岐点部品各々への前記線分部品の接続条件を示す情報に基づいて、前記軌道回路部品の形状を判定する
ことを特徴とする請求項１に記載の情報処理装置。
【請求項３】
前記配線図のデータを編集するエディタ部を備える
ことを特徴とする請求項１または２に記載の情報処理装置。
【請求項４】
前記配線図のデータに基づいて、前記配線図を表示部に表示する表示処理部を備え、
前記データ取得部は、
前記鉄道路線の線路に配置された軌道回路の状態および前記転てつ器の状態を示す情報を取得し、
前記表示処理部は、
前記データ取得部によって取得された前記情報と前記表示条件データとに基づいて、前記軌道回路部品の表示形状を変更する
ことを特徴とする請求項１から３のいずれか一つに記載の情報処理装置。
【請求項５】
コンピュータが実行する情報処理方法であって、
鉄道路線の運行管理画面に表示される前記鉄道路線の配線図のデータに含まれ且つ転てつ器に関連付けられる分岐点部品と前記分岐点部品に接続される線分部品とで構成される軌道回路部品のデータを取得するデータ取得ステップと、
前記データ取得ステップで取得された前記軌道回路部品のデータに含まれる前記線分部品の前記分岐点部品への接続条件を示す情報に基づき、前記軌道回路部品の形状を判定する形状判定ステップと、
前記形状判定ステップで判定された前記軌道回路部品の形状と前記接続条件を示す情報とに基づき、前記転てつ器の状態と前記線分部品とが関連付けられた前記線分部品の表示条件を含む前記軌道回路部品の表示条件データを生成するデータ生成ステップと、を含む
ことを特徴とする情報処理方法。
【請求項６】
前記形状判定ステップは、
前記線分部品が共通に接続される複数の分岐点部品各々への前記線分部品の接続条件を示す情報に基づいて、前記軌道回路部品の形状を判定する
ことを特徴とする請求項５に記載の情報処理方法。
【請求項７】
前記配線図のデータを編集する編集ステップを含む
ことを特徴とする請求項５または６に記載の情報処理方法。
【請求項８】
前記配線図のデータに基づいて、前記配線図を表示部に表示する表示処理ステップを含み、
前記データ取得ステップは、
前記鉄道路線の線路に配置された軌道回路の状態および前記転てつ器の状態を示す情報を取得し、
前記表示処理ステップは、
前記データ取得ステップによって取得された前記情報と前記表示条件データとに基づいて、前記軌道回路部品の表示形状を変更する
ことを特徴とする請求項５から７のいずれか一つに記載の情報処理方法。
【発明の詳細な説明】
【技術分野】
【０００１】
本発明は、運行管理画面の作成に用いられるデータを生成する情報処理装置および情報処理方法に関する。
【背景技術】
【０００２】
鉄道における運行管理システムは、ダイヤに基づいて列車の進路を自動制御するとともに、指令員に対して列車の運行に関する情報を運行管理画面によってリアルタイムで提供している。特許文献１には、軌道回路部品および信号機部品といった複数の部品を配置した運行管理画面において、列車の在線状態および進路の設定状態などによって軌道回路部品の色などの表示態様を変更する運行管理システムが開示されている。
【先行技術文献】
【特許文献】
【０００３】
【特許文献１】特開２０１４−０４６７２０号公報
【発明の概要】
【発明が解決しようとする課題】
【０００４】
従来の運行管理システムでは、運行管理画面における軌道回路部品の表示態様を変更するために、軌道回路部品の表示態様毎の表示条件が設定されているが、かかる表示条件は人手で作成されている。特に、転てつ器に関連付けられた分岐点部品と線分部品とを有する軌道回路部品における運行管理画面への表示形状は、転てつ器の状態毎に変更する必要があり、軌道回路部品の数が多いほど、軌道回路部品の表示条件の作成に時間を要する。
【０００５】
本発明は、上記に鑑みてなされたものであって、転てつ器に関連付けられた分岐点部品と線分部品とを含む軌道回路部品の運行管理画面への表示条件を示す表示条件データを容易に作成することができる情報処理装置を得ることを目的とする。
【課題を解決するための手段】
【０００６】
上述した課題を解決し、目的を達成するために、本発明の情報処理装置は、データ取得部と、形状判定部と、データ生成部とを備える。データ取得部は、鉄道路線の運行管理画面に表示される鉄道路線の配線図のデータに含まれ且つ転てつ器に関連付けられる分岐点部品と分岐点部品に接続される線分部品とで構成される軌道回路部品のデータを取得する。形状判定部は、データ取得部で取得された軌道回路部品のデータに含まれる線分部品の分岐点部品への接続条件を示す情報に基づき、軌道回路部品の形状を判定する。データ生成部は、形状判定部で判定された軌道回路部品の形状と接続条件を示す情報とに基づき、転てつ器の状態と線分部品とが関連付けられた線分部品の表示条件を含む軌道回路部品の表示条件データを生成する。
【発明の効果】
【０００７】
本発明によれば、転てつ器に関連付けられた分岐点部品を有する軌道回路部品の表示条件を含む表示条件データを容易に作成することができる、という効果を奏する。
【図面の簡単な説明】
【０００８】
【図１】本発明の実施の形態１にかかる運行管理システムの構成例を示す図
【図２】実施の形態１にかかる配線図データ作成装置で表示される編集中の運行管理画面の一例を示す図
【図３】実施の形態１にかかる軌道回路部品の構成例を示す図
【図４】実施の形態１にかかる運行状態表示装置に表示される運行管理画面の一例を示す図
【図５】実施の形態１にかかる運行管理システムの具体的な構成例を示す図
【図６】実施の形態１にかかる軌道回路部品のデータ構造の一例を示す図
【図７】実施の形態１にかかる軌道回路部品の複数の形状の例を示す図
【図８】実施の形態１にかかる運行状態表示装置における軌道回路部品の表示態様の一例を示す図
【図９】実施の形態１にかかる運行状態表示装置における軌道回路部品の表示態様の一例を示す図
【図１０】実施の形態１にかかる軌道回路部品の表示条件データの一例を示す図
【図１１】実施の形態１にかかる軌道回路部品の表示条件データのひな形の一例を示す図
【図１２】実施の形態１にかかる二つの分岐点部品を有する軌道回路部品の一例を示す図
【図１３】実施の形態１にかかる軌道回路部品の表示条件データの一例を示す図
【図１４】実施の形態１にかかる軌道回路部品の表示条件データのひな形の一例を示す図
【図１５】実施の形態１にかかる表示情報割り当てテーブルの一例を示す図
【図１６】実施の形態１にかかる表示ＩＤと表示対象の内容との関係を示す図
【図１７】実施の形態１にかかる二つの転てつ器の状態を有する軌道回路部品の表示態様の一例を示す図
【図１８】実施の形態１にかかる二つの転てつ器の状態を有する軌道回路部品の表示態様の一例を示す図
【図１９】実施の形態１にかかる表示条件データ作成装置の処理の一例を示すフローチャート
【図２０】図１９に示すステップＳ１３の処理の一例を示すフローチャート
【図２１】図２０に示すステップＳ２６の処理の一例を示すフローチャート
【図２２】図１９に示すステップＳ１４の処理の一例を示すフローチャート
【図２３】図２２に示すステップＳ５４の処理の一例を示すフローチャート
【図２４】図２２に示すステップＳ５６の処理の一例を示すフローチャート
【図２５】実施の形態１にかかる表示条件データ作成装置のハードウェア構成例を示す図
【図２６】実施の形態２にかかる運行管理システムの構成例を示す図
【図２７】実施の形態２にかかる配線図データ作成装置のハードウェア構成例を示す図
【図２８】実施の形態３にかかる運行管理システムの構成例を示す図
【図２９】実施の形態４にかかる運行管理システムの構成例を示す図
【発明を実施するための形態】
【０００９】
以下に、本発明の実施の形態にかかる情報処理装置および情報処理方法を図面に基づいて詳細に説明する。なお、この実施の形態によりこの発明が限定されるものではない。
【００１０】
実施の形態１．
図１は、本発明の実施の形態１にかかる運行管理システムの構成例を示す図である。図１に示すように、実施の形態１にかかる運行管理システム１００は、配線図データ作成装置１と、表示条件データ作成装置２と、運行状態表示装置３とを備える。表示条件データ作成装置２は、情報処理装置の一例である。
【００１１】
配線図データ作成装置１は、運行状態表示装置３の表示部３５に表示される運行管理画面を作成可能に構成される。運行管理画面は、鉄道路線の配線図を含む。軌道回路部品および信号機部品といった複数の部品が配置されることで、配線図が作成される。
【００１２】
図２は、実施の形態１にかかる配線図データ作成装置で表示される編集中の運行管理画面の一例を示す図である。図２に示す運行管理画面４１には、軌道回路部品Ｂ４１Ｔ，Ｂ４２Ｔ，Ｂ４３Ｔ，Ｂ４４Ｔ，Ｂ４５Ｔと、信号機部品Ｂ５１，Ｂ５２とが配置されている。軌道回路部品Ｂ４３Ｔには、分岐点部品Ｂ９１が含まれる。以下、軌道回路部品Ｂ４１Ｔ，Ｂ４２Ｔ，Ｂ４３Ｔ，Ｂ４４Ｔ，Ｂ４５Ｔの各々を個別に区別しない場合には、軌道回路部品ＢＴと呼ぶ。図２に示す運行管理画面４１は、配線図データ作成装置１で表示される編集用画面であり、運行状態表示装置３の表示部３５に表示される後述の運行管理画面を形成する配線図データの編集状態を確認するために表示部１５に表示される。
【００１３】
各軌道回路部品ＢＴは、鉄道路線の線路に配置される軌道回路に関連付けられる部品である。信号機部品Ｂ５１，Ｂ５２は、鉄道路線の信号機に関連付けられる部品である。また、軌道回路部品Ｂ４３Ｔに含まれる分岐点部品Ｂ９１は、鉄道路線の線路に配置される転てつ器に関連付けられる部品である。
【００１４】
転てつ器を含まない軌道回路に関連付けられる軌道回路部品ＢＴは、一つの線分部品で構成される。また、転てつ器を含む軌道回路に関連付けられる軌道回路部品ＢＴは、三つ以上の線分部品と一つ以上の分岐点部品を含む。図３は、実施の形態１にかかる軌道回路部品の構成例を示す図であり、図２に示す軌道回路部品Ｂ４３Ｔの構成を示している。
【００１５】
図３に示すように、軌道回路部品Ｂ４３Ｔは、三つの線分部品Ｂ８１，Ｂ８２，Ｂ８３と一つの分岐点部品Ｂ９１で構成されており、分岐点部品Ｂ９１には、転てつ器の情報が設定される。分岐点部品Ｂ９１は、分岐点を示す図形９０と、転てつ器の定位を示す図形９１を含む。なお、分岐点部品は、転てつ器部品ということもできる。
【００１６】
配線図データ作成装置１は、配線図データを表示条件データ作成装置２および運行状態表示装置３へ出力する。配線図データには、例えば、配線図に配置される各軌道回路部品ＢＴのデータである軌道回路部品データが含まれている。軌道回路部品データには、軌道回路部品ＢＴを構成する各部品の位置の情報、部品間の関係を示す情報、および線分部品の分岐点部品への接続条件を示す情報といった軌道回路部品ＢＴを表示するための情報が含まれる。表示条件データ作成装置２は、配線図データに含まれる軌道回路部品データに基づいて、軌道回路部品ＢＴの表示条件を含む表示条件データを生成する。
【００１７】
表示条件データ作成装置２が生成する表示条件データは、運行管理画面における軌道回路部品ＢＴの表示態様を変更する条件であり、軌道回路部品ＢＴに含まれる線分部品毎の表示条件を含む。例えば、軌道回路部品ＢＴが分岐点部品を含む場合、軌道回路部品ＢＴに含まれる線分部品毎の運行管理画面への表示条件として、分岐点部品に関連付けられる転てつ器の状態と線分部品とが関連付けられた表示条件が含まれる。
【００１８】
例えば、表示条件データは、図３に示す軌道回路部品Ｂ４３Ｔの表示条件として、分岐点部品Ｂ９１に関連付けられた転てつ器の状態と線分部品Ｂ８１，Ｂ８２，Ｂ８３の各々とを関連付けた線分部品Ｂ８１，Ｂ８２，Ｂ８３の表示条件が含まれる。表示条件データ作成装置２は、生成した表示条件データを運行状態表示装置３へ出力する。
【００１９】
転てつ器の状態には、転てつ器が定位である状態と、転てつ器が反位である状態とがある。定位は、転てつ器が主に保持している位置を示し、反位は、定位の反対の位置を示す。なお、分岐点部品Ｂ９１の形状は、図３に示す形状に限定されない。
【００２０】
運行状態表示装置３は、配線図データ作成装置１によって作成された配線図データに基づいて、運行管理画面を表示部３５に表示する。また、運行状態表示装置３は、表示条件データ作成装置２によって生成される表示条件データと軌道回路の状態と転てつ器の状態とに基づいて運行管理画面における軌道回路部品ＢＴの表示態様を変更する。軌道回路部品ＢＴの表示態様の変更は、運行管理画面に表示される軌道回路部品ＢＴの色、大きさ、および形状の変更を含むが、軌道回路部品ＢＴの色および形状の変更または軌道回路部品ＢＴの大きさおよび形状の変更であってもよい。なお、軌道回路の状態と転てつ器の状態とは表示情報として外部装置から運行状態表示装置３へ通知される。表示情報には、信号機の状態も含まれる。運行状態表示装置３は、表示情報に含まれる信号機の状態に応じて信号機部品の色を変更する。
【００２１】
運行状態表示装置３は、軌道回路部品ＢＴの色および大きさを軌道回路の状態に基づいて変更する。軌道回路の状態には、軌道回路に列車が在線している状態を示す在線中状態、軌道回路に進路が設定されていることを示す進路設定中状態、および軌道回路を含む線路が閉鎖中であることを示す線路閉鎖中状態がある。
【００２２】
運行状態表示装置３は、在線中状態である軌道回路に関連付けられた軌道回路部品ＢＴの大きさおよび色を第一の大きさおよび第一の色にし、進路設定中状態である軌道回路に関連付けられた軌道回路部品ＢＴの大きさおよび色を第二の大きさおよび第二の色にする。また、運行状態表示装置３は、線路閉鎖中状態である軌道回路に関連付けられた軌道回路部品ＢＴの大きさおよび色を第三の大きさおよび第三の色にする。
【００２３】
上述した第一〜第三の大きさは、在線中状態、進路設定中状態、および線路閉鎖中状態のいずれかの状態になっていない軌道回路に関連付けられた軌道回路部品ＢＴの大きさよりも大きい。また、第一〜第三の色は互いに異なる色である。これにより、運行状態表示装置３は、軌道回路の状態を運行管理画面に、把握可能に表示することができる。なお、第一〜第三の大きさは同じであっても互いに異なっていてもよい。第一〜第三の色および第一〜第三の大きさの情報は、運行状態表示装置３に記憶されているが、表示条件データ作成装置２が生成する表示条件データに含めてもよい。
【００２４】
運行状態表示装置３は、分岐点部品が含まれる軌道回路部品ＢＴの運行管理画面への表示態様を、上述した表示条件データと転てつ器の状態とに基づいて変更することができる。具体的には、運行状態表示装置３は、軌道回路部品ＢＴを構成する線分部品の色および大きさを転てつ器の状態によって変えることで軌道回路部品ＢＴの運行管理画面への表示形状を変更する。これにより、転てつ器の状態を運行管理画面に把握可能に表示することができる。
【００２５】
図４は、実施の形態１にかかる運行状態表示装置に表示される運行管理画面の一例を示す図である。図４に示す運行管理画面４２は、運行状態表示装置３の表示部３５に表示される。図４に示す運行管理画面４２では、軌道回路部品Ｂ４２Ｔ，Ｂ４３Ｔ，Ｂ４５Ｔの表示態様が変更されている。例えば、軌道回路部品Ｂ４２Ｔは、関連付けられた軌道回路が在線中状態であることを示す色および大きさに変更されている。また、軌道回路部品Ｂ４３Ｔ，Ｂ４５Ｔは、関連付けられた軌道回路が進路設定中状態であることを示す色および大きさに変更されている。なお、図４では、色の違いをハッチングの違いで示している。軌道回路部品ＢＴに関連付けられた軌道回路が在線中状態かつ進路設定中状態である場合、進路設定中状態の色および大きさよりも在線中状態の色および大きさが優先的に運行管理画面４２に表示される。
【００２６】
また、図４に示す運行管理画面４２では、軌道回路部品Ｂ４３Ｔは、図３に示す線分部品Ｂ８２，Ｂ８３のうち一方の線分部品Ｂ８３のみが進路設定中状態であることを示す色および大きさに変更され、他方の線分部品Ｂ８２の色および大きさは、変更されていない。これにより、運行管理画面４２における軌道回路部品Ｂ４３Ｔの表示形状によって、軌道回路部品Ｂ４３Ｔに含まれる分岐点部品Ｂ９１に関連付けられた転てつ器の状態を指令員が把握することができる。
【００２７】
このように、運行管理画面４２では、表示条件データ作成装置２によって生成される表示条件データに基づいて軌道回路部品Ｂ４３Ｔの表示形状が運行状態表示装置３により変更される。かかる表示条件データは、表示条件データ作成装置２によって、配線図データに含まれる各軌道回路部品データから自動的に生成される。そのため、人手によって表示条件データを生成する場合に比べ、表示条件データの作成作業が効率化され、かつ、ヒューマンエラーを防止することができる。以下、運行管理システム１００の構成についてさらに具体的に説明する。
【００２８】
図５は、実施の形態１にかかる運行管理システムの具体的な構成例を示す図である。図５に示すように、運行管理システム１００は、上述した配線図データ作成装置１、表示条件データ作成装置２、および運行状態表示装置３を含む。
【００２９】
配線図データ作成装置１は、入力部１１と、エディタ部１２と、配線図データ記憶部１３と、配線図データ出力部１４と、表示部１５とを備える。入力部１１は、運行管理画面４２に含まれる配線図を作成かつ編集するためのユーザインタフェースであり、例えば、マウスおよびキーボードを含む。
【００３０】
エディタ部１２は、入力部１１への操作によって得られる情報に基づいて、運行管理画面４２に含まれる配線図を作成および編集する。エディタ部１２は、編集中の配線図を含む運行管理画面４１を表示部１５に表示する。また、エディタ部１２は、編集後の配線図のデータである配線図データを配線図データ記憶部１３へ記憶する。
【００３１】
配線図データ出力部１４は、入力部１１の操作によって得られる情報に基づいて、配線図データを配線図データ記憶部１３から読み出し、読み出した配線図データを表示条件データ作成装置２および運行状態表示装置３へ出力する。なお、配線図データ出力部１４は、配線図データに含まれるデータのうち軌道回路部品ＢＴのデータである軌道回路部品データのみを表示条件データ作成装置２へ出力することもできる。
【００３２】
表示条件データ作成装置２は、データ取得部２１と、形状判定部２２と、データ生成部２３と、データ出力部２４とを備える。データ取得部２１は、配線図データ作成装置１から配線図データを取得し、取得した配線図データに含まれる軌道回路部品データを形状判定部２２へ出力する。また、データ取得部２１は、配線図データ作成装置１から軌道回路部品データのみを取得した場合、取得した軌道回路部品データを形状判定部２２へ出力する。
【００３３】
図６は、実施の形態１にかかる軌道回路部品のデータ構造の一例を示す図であり、図３に示す軌道回路部品Ｂ４３Ｔのデータ構造を示す。図６に示すように、軌道回路部品Ｂ４３Ｔの軌道回路部品データには、軌道回路部品Ｂ４３Ｔを特定するデータと、軌道回路部品Ｂ４３Ｔを構成する線分部品Ｂ８１，Ｂ８２，Ｂ８３のデータと、軌道回路部品Ｂ４３Ｔを構成する分岐点部品Ｂ９１のデータとが含まれる。
【００３４】
図６に示す例では、軌道回路部品Ｂ４３Ｔを特定するデータには、設備名称として「４３Ｔ」が含まれ、部品ＩＤ（Identifier）として「Ｄ５」が含まれている。また、線分部品Ｂ８１のデータには、ＩＤとして「Ｄ１」が含まれ、線分部品Ｂ８２のデータには、部品ＩＤとして「Ｄ２」が含まれ、線分部品Ｂ８３のデータには、部品ＩＤとして「Ｄ３」が含まれている。
【００３５】
各線分部品Ｂ８１，Ｂ８２，Ｂ８３のデータには、端点のｘｙ座標を示す座標データと、接続される部品の部品ＩＤである接続部品ＩＤを示す接続部品データとを含む端点データが端点毎に含まれる。例えば、線分部品Ｂ８１のデータには、二つの端点データが含まれる。一方の端点データは、ｘ＝２００およびｙ＝３００を示す座標データと、接続部品ＩＤが０を示す接続部品データとを含む。接続部品ＩＤが「０」であることは、軌道回路部品Ｂ４３Ｔ内において接続される部品がないことを示す。また、他方の端点データは、ｘ＝４５０およびｙ＝３００を示す座標データと、接続部品ＩＤがＤ４であることを示す接続部品データとを含む。また、接続部品ＩＤが「Ｄ４」であることは、部品ＩＤが「Ｄ４」である分岐点部品Ｂ９１に接続されることを意味する。
【００３６】
分岐点部品Ｂ９１のデータには、設備名称として「４３」が含まれ、部品ＩＤとして「Ｄ４」が含まれる。また、分岐点部品Ｂ９１のデータには、分岐点のｘｙ座標を示す座標データと、分岐点部品Ｂ９１に接続される線分部品Ｂ８１，Ｂ８２，Ｂ８３の分岐点部品Ｂ９１への接続条件を示す情報を含む接続データとを含む。接続データには、定義なし接続部品ＩＤと、定位側接続部品ＩＤと、反位側接続部品ＩＤとが含まれる。このように、分岐点部品Ｂ９１のデータには、線分部品の分岐点部品への接続条件を示す情報が含まれる。
【００３７】
定義なし接続部品ＩＤは、定義無しで分岐点部品に接続される線分部品である定義なし接続部品の部品ＩＤを示す。定義無しとは、転てつ器の状態に無関係であることを意味する。また、定位側接続部品ＩＤは、転てつ器が定位である場合に分岐点部品に接続される線分部品である定位側接続部品の部品ＩＤである。反位側接続部品ＩＤは、転てつ器が反位である場合に分岐点部品に接続される線分部品である反位側接続部品の部品ＩＤである。図６に示す例では、定義なし接続部品ＩＤは、Ｄ１であり、定位側接続部品ＩＤは、Ｄ２であり、反位側接続部品ＩＤは、Ｄ３である。
【００３８】
なお、図６に示す軌道回路部品データは、一つの分岐点部品を有する軌道回路部品Ｂ４３Ｔのデータであるが、二つの分岐点部品を有する軌道回路部品ＢＴのデータには、七つの線分部品のデータと、二つの分岐点部品のデータとが含まれる。また、分岐点部品を有していない軌道回路部品ＢＴのデータには、一つの線分部品のデータが含まれ、分岐点部品のデータは含まれていない。
【００３９】
図５に戻って、表示条件データ作成装置２の説明を続ける。表示条件データ作成装置２の形状判定部２２は、軌道回路部品データに含まれる軌道回路部品ＢＴを構成する分岐点部品の数と、線分部品の分岐点部品への接続条件を示す情報とに基づいて、軌道回路部品ＢＴの形状を判定する。軌道回路部品ＢＴの形状は、分岐点部品の有無、および分岐点部品の数によって異なる。また、分岐点部品の数が２以上である軌道回路部品ＢＴの場合、分岐点部品の数が同じでも複数種類の形状がある。
【００４０】
図７は、実施の形態１にかかる軌道回路部品の複数の形状の例を示す図である。図７に示すように、分岐点部品を含まない軌道回路部品ＢＴの形状は一種類の形状パターンＰ０の形状のみであり、一つの分岐点部品を含む軌道回路部品ＢＴの形状は、線分部品の分岐点部品への接続条件に着目し、分岐点部品への線分部品の接続条件の対称性を考慮すると、一種類の形状パターンＰ１の形状のみである。また、二つの分岐点部品を含む軌道回路部品ＢＴの形状は、線分部品の分岐点部品への接続条件に着目し、二つの分岐点部品への線分部品の接続条件の対称性を考慮すると、六種類の形状パターンＰ２１〜Ｐ２６の形状である。
【００４１】
図７では、形状パターンＰ１の軌道回路部品ＢＴを構成する各線分部品に、分岐点部品に関連付けられた転てつ器が定位、反位、および定義無しのいずれに設定されているかを破線の矢印および文字を用いて示している。また、形状パターンＰ２１〜Ｐ２６の軌道回路部ＢＴ品では、分岐点部品間を接続する線分部品に、各分岐点部品に関連付けられた転てつ器が定位、反位、および定義無しのいずれに設定されているかを破線の矢印および文字を用いて示している。
【００４２】
形状判定部２２は、軌道回路部品データに分岐点部品のデータが含まれない場合、軌道回路部品データで特定される軌道回路部品ＢＴは形状パターンＰ０の形状であると判定する。形状判定部２２は、軌道回路部品データに一つの分岐点部品のデータが含まれる場合、軌道回路部品データで特定される軌道回路部品ＢＴは形状パターンＰ１の形状であると判定する。
【００４３】
形状判定部２２は、軌道回路部品データに二つの分岐点部品のデータが含まれる場合、軌道回路部品データに含まれる線分部品の分岐点部品への接続条件を示す情報に基づいて、軌道回路部品ＢＴの形状パターンを判定する。具体的には、形状判定部２２は、二つの分岐点部品のデータに共通して含まれる線分部品の部品ＩＤを抽出する。二つの分岐点部品のデータに共通して含まれる線分部品の部品ＩＤは、分岐点部品間を接続する線分部品の部品ＩＤである。
【００４４】
形状判定部２２は、各分岐点部品のデータにおいて、分岐点部品間を接続する線分部品が、「定義無し」、「定位」、および「反位」のいずれに設定されているかを判定する。「定義無し」は、定義なし接続部品を示し、「定位」は、定位側接続部品を示し、「反位」は、反位側接続部品を示す。なお、以下においては、分岐点部品間を接続する線分部品を共通線分部品と記載する。
【００４５】
形状判定部２２は、共通線分部品が、二つの分岐点部品のデータにおいて「定義無し」および「定義無し」に設定されている軌道回路部品ＢＴは形状パターンＰ２１の形状であると判定する。また、形状判定部２２は、共通線分部品が二つの分岐点部品のデータにおいて「定義無し」および「定位」に設定されている軌道回路部品ＢＴは形状パターンＰ２２の形状であると判定する。
【００４６】
また、形状判定部２２は、共通線分部品が、二つの分岐点部品のデータにおいて「定義無し」および「反位」に設定されている軌道回路部品ＢＴは形状パターンＰ２３の形状であると判定する。形状判定部２２は、共通線分部品が、二つの分岐点部品のデータにおいて「定位」および「定位」に設定されている軌道回路部品ＢＴは形状パターンＰ２４の形状であると判定する。
【００４７】
また、形状判定部２２は、共通線分部品が、二つの分岐点部品のデータにおいて「定位」および「反位」に設定されている軌道回路部品ＢＴは形状パターンＰ２５の形状であると判定する。形状判定部２２は、共通線分部品が、二つの分岐点部品のデータにおいて「反位」および「反位」に設定されている軌道回路部品ＢＴは形状パターンＰ２６の形状であると判定する。
【００４８】
このように、形状判定部２２は、分岐点部品の有無、分岐点部品の数、および分岐点部品への共通線分部品の接続条件に基づいて、各軌道回路部品ＢＴの形状パターンを判定する。なお、上述した例では、二つ以下の分岐点部品を含む軌道回路部品ＢＴについて説明したが、分岐点部品の数は二つ以下に限定されない。三つ以上の分岐点部品を含む軌道回路部品ＢＴについても同様に、形状判定部２２は、分岐点部品の数および共通線分部品の分岐点部品への接続条件に基づいて、各軌道回路部品ＢＴの形状パターンを判定することができる。
【００４９】
図５に戻って、表示条件データ作成装置２の説明を続ける。表示条件データ作成装置２のデータ生成部２３は、形状判定部２２で判定された軌道回路部品ＢＴの形状に基づき、軌道回路部品ＢＴの表示条件を示す表示条件データを生成する。
【００５０】
図８および図９は、実施の形態１にかかる運行状態表示装置における軌道回路部品の各表示態様の一例を各々示す図である。図８および図９では、転てつ器４３に関連付けられた分岐点部品Ｂ９１を有する軌道回路部品Ｂ４３Ｔにおける複数の表示態様の例を示している。軌道回路部品Ｂ４３Ｔは、転てつ器４３の状態、すなわち転てつ器４３が定位か反位かによって表示態様が変更される線分部品が異なる。転てつ器４３が定位である場合、線分部品Ｂ８１，Ｂ８２が図８に示す表示態様になる。転てつ器４３が反位である場合、線分部品Ｂ８１，Ｂ８３が図９に示す表示態様になる。
【００５１】
このように、線分部品Ｂ８１は、転てつ器４３の状態によらず常に表示態様が変更され、線分部品Ｂ８２は、転てつ器４３が定位の場合に表示態様が変更され、線分部品Ｂ８３は、転てつ器４３の反位の場合に表示態様が変更される。したがって、軌道回路部品Ｂ４３Ｔは、転てつ器４３が定位か反位であるかによって、色および大きさのみならず、表示形状も変更される。
【００５２】
そこで、データ生成部２３は、形状パターンＰ１の形状を有する軌道回路部品ＢＴの場合、第一条件、第二条件、および第三条件に各々割り当てられる部品ＩＤを含む表示条件データを生成する。第一条件は、転てつ器の状態を問わないという条件であり、第二条件は、転てつ器が定位であるという条件であり、第三条件は、転てつ器が反位であるという条件である。
【００５３】
また、データ生成部２３によって生成される表示条件データには、軌道回路部品ＢＴを特定するための情報と、軌道回路部品ＢＴに関連付けられた軌道回路を特定するための情報とが含まれる。軌道回路部品ＢＴを特定するための情報は、軌道回路部品ＢＴの部品ＩＤであり、軌道回路部品ＢＴに関連付けられた軌道回路を特定するための情報は、軌道回路の名称である。
【００５４】
データ生成部２３は、軌道回路部品ＢＴのデータに基づいて、表示条件データを生成する。以下、一例として、図３に示す軌道回路部品Ｂ４３Ｔの表示条件データを生成する処理について説明する。
【００５５】
図６に示すように、軌道回路部品Ｂ４３Ｔのデータには軌道回路部品Ｂ４３Ｔの部品ＩＤ「Ｄ５」および軌道回路の名称「４３Ｔ」が含まれる。また、図６に示すように、軌道回路部品Ｂ４３Ｔに含まれる分岐点部品のデータには、転てつ器の名称「４３」、定義なし接続部品ＩＤ「Ｄ１」、定位側接続部品ＩＤ「Ｄ２」、および反位側接続部品ＩＤ「Ｄ３」が含まれる。
【００５６】
データ生成部２３は、軌道回路部品Ｂ４３Ｔのデータに基づいて、図１０に示す表示条件データを生成することができる。図１０は、実施の形態１にかかる軌道回路部品の表示条件データの一例を示す図である。
【００５７】
図１０に示す表示条件データは、軌道回路部品ＢＴの部品ＩＤ「Ｄ５」と軌道回路の名称「４３Ｔ」とを含む。また、図１０に示す表示条件データは、第一条件「なし」に割り当てられた線分部品の部品ＩＤ「Ｄ１」と、第二条件「転てつ器「４３」＝定位」に割り当てられた線分部品の部品ＩＤ「Ｄ２」と、第三条件「転てつ器「４３」＝反位」に割り当てられた線分部品の部品ＩＤ「Ｄ３」とを含む。
【００５８】
データ生成部２３は、軌道回路部品Ｂ４３Ｔのデータから、部品ＩＤ「Ｄ５」および名称「４３Ｔ」を抽出し、抽出した部品ＩＤ「Ｄ５」および名称「４３Ｔ」を表示条件データにおける軌道回路部品ＢＴの部品ＩＤと軌道回路の名称に設定する。
【００５９】
また、データ生成部２３は、軌道回路部品Ｂ４３Ｔに含まれる分岐点部品のデータから、転てつ器の名称「４３」、定義なし接続部品ＩＤ「Ｄ１」、定位側接続部品ＩＤ「Ｄ２」、および反位側接続部品ＩＤ「Ｄ３」を抽出する。データ生成部２３は、定義なし接続部品ＩＤ「Ｄ１」を上述した第一条件に設定する。データ生成部２３は、転てつ器の名称「４３」および定位側接続部品ＩＤ「Ｄ２」を上述した第二条件に設定する。データ生成部２３は、転てつ器の名称「４３」および反位側接続部品ＩＤ「Ｄ３」を上述した第三条件に設定する。
【００６０】
なお、図１０に示す表示条件データは、説明を分かりやすくするために、テーブル形式で示している。表示条件データは、軌道回路部品ＢＴの部品ＩＤと、軌道回路の名称と、第一条件、第二条件、および第三条件に各々割り当てられる線分部品の部品ＩＤと、第二条件および第三条件の転てつ器の名称とを含む構成であればよい。すなわち、表示条件データは、図１０に示す関係を特定することができるデータであればよい。なお、転てつ器の名称は、転てつ器を特定するための情報である。転てつ器を特定することができれば、第二条件および第三条件に含める情報は、転てつ器の名称でなくてもよい。
【００６１】
図１１は、実施の形態１にかかる軌道回路部品の表示条件データのひな形の一例を示す図である。図１１に示すひな形６０は、形状パターンＰ１の形状を有する軌道回路部品ＢＴの表示条件データのひな形である。ひな形６０における各枠６１〜６５，６６１，６６２内の内容を決定することで表示条件データを生成することができる。なお、ひな形６０は、データ生成部２３によって決定される内容を分かりやすく示すために説明の便宜上用いており、人が入力する画面ではない。
【００６２】
データ生成部２３は、上述した処理によって、ひな形６０における各枠６１〜６５，６６１，６６２の内容を決定して表示条件データを生成することができる。なお、枠６６１，６６２内には、同一の転てつ器の情報が設定される。
【００６３】
次に、二つの分岐点部品を有する軌道回路部品ＢＴの表示条件データの生成方法について形状パターンＰ２１の形状を有する軌道回路部品ＢＴを例に挙げて説明する。図１２は、実施の形態１にかかる二つの分岐点部品を有する軌道回路部品の一例を示す図であり、形状パターンＰ２１の形状を有する軌道回路部品Ｂ４８Ｔの一例を示す。
【００６４】
図１２に示す軌道回路部品Ｂ４８Ｔは、五つの線分部品Ｂ８４〜Ｂ８８と、二つの分岐点部品Ｂ９２，Ｂ９３とを含む。軌道回路部品Ｂ４８Ｔのデータには、軌道回路部品Ｂ４８Ｔの部品ＩＤ「Ｄ１８」および軌道回路の名称「４８Ｔ」が含まれる。また、軌道回路部品Ｂ４８Ｔのデータに含まれる分岐点部品Ｂ９２のデータには、転てつ器の名称「４８」、定義なし接続部品ＩＤ「Ｄ１３」、定位側接続部品ＩＤ「Ｄ１１」、および反位側接続部品ＩＤ「Ｄ１２」が含まれる。また、軌道回路部品Ｂ４８Ｔのデータに含まれる分岐点部品Ｂ９３のデータには、転てつ器の名称「４９」、定義なし接続部品ＩＤ「Ｄ１３」、定位側接続部品ＩＤ「Ｄ１４」、および反位側接続部品ＩＤ「Ｄ１５」が含まれる。
【００６５】
なお、分岐点部品Ｂ９２，Ｂ９３間を接続する線分部品Ｂ８６の部品ＩＤは、分岐点部品Ｂ９２，Ｂ９３のデータにおいて各々定義無し接続部品ＩＤとして含まれている。したがって、軌道回路部品Ｂ４８Ｔは、図７に示す形状パターンＰ２１の形状を有する軌道回路部品ＢＴであると形状判定部２２によって判定される。
【００６６】
データ生成部２３は、形状パターンＰ２１の形状を有する軌道回路部品ＢＴの場合、一つの第一条件、二つの第二条件、および二つの第三条件に各々割り当てられる線分部品の部品ＩＤを含む表示条件データを生成する。第一条件は、二つの転てつ器の状態を問わないという条件である。二つの第二条件は、一方の転てつ器が定位であるという条件と他方の転てつ器が定位であるという条件である。二つの第三条件には、一方の転てつ器が反位であるという条件と他方の転てつ器が反位であるという条件である。
【００６７】
ここで、形状パターンＰ２１の形状を有する軌道回路部品として図１２に示す軌道回路部品Ｂ４８Ｔの表示条件データを生成する場合を一例に挙げて説明する。データ生成部２３は、軌道回路部品Ｂ４８Ｔのデータに基づいて、軌道回路部品Ｂ４８Ｔの表示条件データを生成する。データ生成部２３は、軌道回路部品Ｂ４８Ｔのデータに基づき、図１３に示す表示条件データを生成することができる。図１３は、実施の形態１にかかる軌道回路部品の表示条件データの一例を示す図である。
【００６８】
図１３に示す表示条件データは、軌道回路部品Ｂ４８Ｔの部品ＩＤ「Ｄ１８」と軌道回路の名称「４８Ｔ」とを含む。また、図１３に示す表示条件データは、第一条件「なし」に割り当てられた線分部品の部品ＩＤ「Ｄ１３」と、第二条件「転てつ器「４８」＝定位」および「転てつ器「４９」＝定位」に各々に割り当てられた線分部品の部品ＩＤ「Ｄ１１」，「Ｄ１４」を含む。また、図１３に示す表示条件データは、第三条件「転てつ器「４８」＝反位」および「転てつ器「４９」＝反位」に各々に割り当てられた線分部品の部品ＩＤ「Ｄ１２」，「Ｄ１５」を含む。
【００６９】
データ生成部２３は、軌道回路部品Ｂ４８Ｔのデータから、部品ＩＤ「Ｄ１８」および名称「４８Ｔ」を抽出し、抽出した部品ＩＤ「Ｄ１８」および名称「４８Ｔ」を表示条件データにおける軌道回路部品ＢＴの部品ＩＤと軌道回路の名称にする。
【００７０】
また、データ生成部２３は、軌道回路部品Ｂ４８Ｔに含まれる二つの分岐点部品のうちの一方のデータから、転てつ器の名称「４８」、定義なし接続部品ＩＤ「Ｄ１３」、定位側接続部品ＩＤ「Ｄ１１」、および反位側接続部品ＩＤ「Ｄ１２」を抽出する。また、データ生成部２３は、軌道回路部品Ｂ４８Ｔに含まれる他方の分岐点部品のデータから、転てつ器の名称「４９」、定義なし接続部品ＩＤ「Ｄ１３」、定位側接続部品ＩＤ「Ｄ１４」、および反位側接続部品ＩＤ「Ｄ１５」を抽出する。
【００７１】
データ生成部２３は、二つの分岐点部品のデータに共通に含まれるＩＤ「Ｄ１３」を用いて上述した第一条件を設定する。データ生成部２３は、一方の分岐点部品のデータに含まれる転てつ器の名称「４８」および定位側接続部品ＩＤ「Ｄ１１」を上述した第二条件の一方を設定する。また、データ生成部２３は、他方の分岐点部品のデータに含まれる転てつ器の名称「４９」および定位側接続部品ＩＤ「Ｄ１４」を上述した第二条件の他方を設定する。
【００７２】
さらに、データ生成部２３は、一方の分岐点部品のデータに含まれる転てつ器の名称「４８」および反位側接続部品ＩＤ「Ｄ１２」を上述した第三条件の一方を設定する。また、データ生成部２３は、他方の分岐点部品のデータに含まれる転てつ器の名称「４９」および反位側接続部品ＩＤ「Ｄ１５」を上述した第三条件の他方を設定する。
【００７３】
なお、図１３に示す表示条件データは、図１０に示す表示条件データと同様に、説明を分かりやすくするために、テーブル形式で示しているが、表示条件データは、図１３に示す関係を特定することができるデータであればよい。
【００７４】
図１４は、実施の形態１にかかる軌道回路部品の表示条件データのひな形の一例を示す図である。図１４に示すひな形７０は、形状パターンＰ２１の形状を有する軌道回路部品ＢＴの表示条件データのひな形である。ひな形７０における各枠７１〜７７，７８１，７８２，７９１，７９２内の内容を決定することで表示条件データを生成することができる。なお、ひな形７０は、上述したひな形６０と同様に説明の便宜上用いている。
【００７５】
データ生成部２３は、上述した処理によって、ひな形７０における各枠７１〜７７，７８１，７８２，７９１，７９２の内容を決定して表示条件データを生成することができる。なお、枠７８１，７８２内には、同一の転てつ器の情報が設定され、枠７９１，７９２内には、同一の転てつ器の情報が設定される。
【００７６】
図１４に示すように、形状パターンＰ２１のひな形７０は、図１１に示す形状パターンＰ１のひな形６０とは異なる。すなわち、形状パターンＰ２１の形状を有する軌道回路部品ＢＴの表示条件データと、形状パターンＰ１の形状を有する軌道回路部品ＢＴの表示条件データとは、表示条件が異なる。同様に、形状パターンＰ２１〜Ｐ２６同士もひな形が異なる。例えば、形状パターンＰ２１では、各線分部品で一つ以下の転てつ器の状態を条件とするが、形状パターンＰ２２〜Ｐ２６では、一部の線分部品において二つの転てつ器の状態が条件になる。
【００７７】
このように、データ生成部２３は、軌道回路部品ＢＴの形状毎に異なる処理手順で表示条件データを作成しており、これにより、表示条件データの生成処理を効率的かつ精度良く行うことができる。
【００７８】
図５に戻って、表示条件データ作成装置２の説明を続ける。表示条件データ作成装置２のデータ出力部２４は、データ生成部２３で生成された各軌道回路部品ＢＴの表示条件データを運行状態表示装置３へ出力する。
【００７９】
運行状態表示装置３は、データ取得部３１と、データ記憶部３２と、表示情報取得部３３と、表示処理部３４と、表示部３５とを備える。データ取得部３１は、配線図データ作成装置１から出力される配線図データを取得し、取得した配線図データをデータ記憶部３２に記憶する。また、データ取得部３１は、表示条件データ作成装置２から出力される各軌道回路部品ＢＴの表示条件データを取得し、取得した表示条件データをデータ記憶部３２に記憶する。
【００８０】
データ記憶部３２は、配線図データ、および各軌道回路部品ＢＴの表示条件データに加え、表示情報割り当てテーブルを記憶している。図１５は、実施の形態１にかかる表示情報割り当てテーブルの一例を示す図である。図１５に示す表示情報割り当てテーブル５０は、「部品ＩＤ」、「名称」、および「表示ＩＤ」を関連付けた情報である。「部品ＩＤ」には、軌道回路部品ＢＴの部品ＩＤまたは軌道回路の部品ＩＤが含まれる。
【００８１】
「名称」には、軌道回路部品ＢＴの名称または軌道回路の名称が含まれる。「表示ＩＤ」には、表示する軌道回路の状態を示す表示ＩＤまたは軌道回路に含まれる転てつ器の状態を示す表示ＩＤが含まれる。
【００８２】
表示情報割り当てテーブル５０では、軌道回路４３Ｔに関連付けられた部品ＩＤ「Ｄ５」の軌道回路部品Ｂ４３Ｔについて、例えば、在線中の表示を示す表示ＩＤが「Ｄ１００」に設定され、進路設定中の表示を示す表示ＩＤが「Ｄ１０１」に設定されている。また、転てつ器４３に関連付けられた部品ＩＤ「Ｄ４」の分岐点部品Ｂ９１について、定位の表示を示す表示ＩＤが「Ｄ２０１」に設定され、反位の表示を示す表示ＩＤが「Ｄ２０２」に設定されている。
【００８３】
図１６は、実施の形態１にかかる表示ＩＤと表示対象の内容との関係を示す図である。各表示対象は、軌道回路の状態または転てつ器の状態であり、各表示対象の内容は、軌道回路の状態を示す情報または転てつ器の状態を示す情報である。例えば、表示ＩＤ「Ｄ１００」は、「軌道回路４３Ｔが在線中」であることを示し、表示ＩＤ「Ｄ１０１」は、「軌道回路４３Ｔが進路設定中」であることを示す。また、表示ＩＤ「Ｄ２０１」は、「転てつ器４３が定位」であることを示し、表示ＩＤ「Ｄ２０２」は、「転てつ器４３が反位」であることを示す。
【００８４】
図５に戻って、運行状態表示装置３の説明を続ける。運行状態表示装置３の表示情報取得部３３は、外部装置から表示情報を取得し、取得した表示情報を表示処理部３４へ出力する。表示情報は、軌道回路の状態を示す表示ＩＤと転てつ器の状態を示す表示ＩＤとが含まれる。
【００８５】
表示処理部３４は、データ記憶部３２から配線図データを取得し、取得した配線図データに基づいて、運行管理画面４２を表示部３５に表示する。また、表示処理部３４は、データ記憶部３２に記憶された表示条件データと、外部装置から表示情報取得部３３を介して取得した表示情報とに基づいて、運行管理画面４２において一以上の軌道回路部品ＢＴの表示態様を変更する。
【００８６】
例えば、外部装置から表示情報取得部３３を介して取得される表示情報に表示ＩＤとしてＤ１０１，Ｄ１１０，Ｄ１２１，Ｄ２０２が含まれており、また、軌道回路部品Ｂ４３Ｔの表示条件データが図１０に示す状態であるとする。この場合、表示処理部３４は、表示ＩＤとしてＤ１０１，Ｄ１１０，Ｄ１２１，Ｄ２０２が含まれている表示情報と図１０に示す表示条件データに基づいて、軌道回路部品ＢＴの表示態様を変更する。
【００８７】
図１５に示すように、表示ＩＤ「Ｄ１０１」は、部品ＩＤ「Ｄ５」の軌道回路部品Ｂ４３Ｔの表示を進路設定中の表示にするための情報であり、表示ＩＤ「Ｄ１１０」は、部品ＩＤ「Ｄ６」の軌道回路部品Ｂ４２Ｔの表示を在線中の表示にするための情報である。また、表示ＩＤ「Ｄ１２１」は、部品ＩＤ「Ｄ７」の軌道回路部品Ｂ４５Ｔの表示を進路設定中の表示にするための情報である。表示ＩＤ「Ｄ２０２」は、部品ＩＤ「Ｄ４」の分岐点部品Ｂ９１に関連付けられた転てつ器４３が反位であることを示す表示を行うための情報である。
【００８８】
軌道回路部品Ｂ４３Ｔの表示条件データは、図１０に示すように、部品ＩＤが「Ｄ１」である線分部品Ｂ８１には、第一条件「なし」が割り当てられている。そのため、表示処理部３４は、図４に示すように、図３に示す線分部品Ｂ８１の表示態様を変更する。
【００８９】
また、図１０に示すように、部品ＩＤが「Ｄ２」である線分部品Ｂ８２には、第二条件「転てつ器「４３」＝定位」が割り当てられ、部品ＩＤが「Ｄ３」である線分部品Ｂ８３には、第三条件「転てつ器「４３」＝反位」が割り当てられている。そして、表示ＩＤ「Ｄ２０２」は、上述したように、部品ＩＤ「Ｄ４」の分岐点部品Ｂ９１に関連付けられた転てつ器４３が反位であることを示す表示を行うための情報である。そのため、表示処理部３４は、図４に示すように、図３に示す線分部品Ｂ８３の表示態様を変更するが、図３に示す線分部品Ｂ８２の表示態様を変更しない。
【００９０】
このように、表示処理部３４は、表示条件データと、表示情報とに基づいて、運行管理画面４２において一以上の軌道回路部品ＢＴの表示態様を変更する。上述では、表示処理部３４が一つの分岐点部品を有する軌道回路部品ＢＴの表示態様を変更する例を説明したが、表示処理部３４は、同様に、表示条件データと、表示情報とに基づいて、二つの分岐点部品を有する軌道回路部品ＢＴの表示態様を変更することができる。
【００９１】
図１７および図１８は、実施の形態１にかかる二つの転てつ器の状態を有する軌道回路部品の表示態様の一例を各々示す図であり、二つの転てつ器４８，４９の状態と軌道回路部品Ｂ４８Ｔの表示態様との関係を示している。なお、軌道回路部品Ｂ４８Ｔの表示条件データは、図１３に示す状態である。
【００９２】
表示処理部３４は、例えば、表示ＩＤとしてＤ１０４，Ｄ２０３，Ｄ２０５が含まれている表示情報を取得すると、取得した表示情報と、図１３に示す表示条件データに基づいて、軌道回路部品Ｂ４８Ｔの表示態様を変更する。
【００９３】
図１５に示すように、表示ＩＤ「Ｄ１０４」は、軌道回路４８Ｔが進路設定中の表示を行うための情報である。表示ＩＤ「Ｄ２０３」は、部品ＩＤ「Ｄ１６」の分岐点部品Ｂ９２に関連付けられた転てつ器４８が定位であることを示す表示を行うための情報である。また、表示ＩＤ「Ｄ２０５」は、部品ＩＤ「Ｄ１７」の分岐点部品Ｂ９３に関連付けられた転てつ器４９が定位であることを示す表示を行うための情報である。
【００９４】
また、図１３に示すように、表示条件データにおいて、部品ＩＤが「Ｄ１３」である線分部品Ｂ８６には、第一条件「なし」が割り当てられている。そのため、表示処理部３４は、進路設定中を示すように線分部品Ｂ８１の表示態様を変更する。また、部品ＩＤが「Ｄ１１」である線分部品Ｂ８４には、第二条件「転てつ器「４８」＝定位」が割り当てられ、部品ＩＤが「Ｄ１４」である線分部品Ｂ８７には、第二条件「転てつ器「４９」＝定位」が割り当てられている。そのため、表示処理部３４は、図１７に示すように、進路設定中を示すように線分部品Ｂ８４，Ｂ８７の表示態様を変更し、線分部品Ｂ８５，Ｂ８８の表示態様を変更しない。
【００９５】
また、同様の処理により、表示処理部３４は、表示情報が表示ＩＤとして、Ｄ１０４，Ｄ２０４，Ｄ２０６を含む場合、図１８に示すように、進路設定中を示すように線分部品Ｂ８５，Ｂ８６，Ｂ８８の表示態様を変更する。このように、表示処理部３４は、取得した表示情報と表示条件データに基づいて、運行管理画面４２において軌道回路部品ＢＴの表示態様を変更することができる。
【００９６】
つづいて、表示条件データ作成装置２の動作を、フローチャートを用いて説明する。図１９は、実施の形態１にかかる表示条件データ作成装置の処理の一例を示すフローチャートである。図１９に示すように、表示条件データ作成装置２のデータ取得部２１は、配線図データ作成装置１から配線図データを取得する（ステップＳ１１）。そして、データ取得部２１は、ステップＳ１１で取得した配線図データから各軌道回路部品ＢＴのデータを抽出する（ステップＳ１２）。
【００９７】
次に、表示条件データ作成装置２の形状判定部２２は、未処理の軌道回路部品ＢＴの一つを選択し、選択した軌道回路部品ＢＴのデータに基づいて、軌道回路部品ＢＴの形状を判定する（ステップＳ１３）。ステップＳ１３の処理は、図２０に示すステップＳ２１〜Ｓ２７の処理であり、後で詳述する。
【００９８】
次に、表示条件データ作成装置２のデータ生成部２３は、ステップＳ１３で形状を判定した軌道回路部品ＢＴの表示条件データを生成する（ステップＳ１４）。ステップＳ１４の処理は、図２２に示すステップＳ５１〜Ｓ５９の処理であり、後で詳述する。
【００９９】
次に、表示条件データ作成装置２は、未処理の軌道回路部品ＢＴのデータがあるか否かを判定する（ステップＳ１５）。配線図データ作成装置１は、未処理の軌道回路部品ＢＴのデータがあると判定した場合（ステップＳ１５：Ｙｅｓ）、処理をステップＳ１３へ移行し、ステップＳ１３，Ｓ１４の処理を繰り返す。
【０１００】
表示条件データ作成装置２のデータ出力部２４は、未処理の軌道回路部品ＢＴのデータがないと判定された場合（ステップＳ１５：Ｎｏ）、ステップＳ１４で生成した各軌道回路部品ＢＴの表示条件データを運行状態表示装置３へ出力する（ステップＳ１６）。
【０１０１】
図２０は、図１９に示すステップＳ１３の処理の一例を示すフローチャートである。図２０に示すように、形状判定部２２は、軌道回路部品ＢＴのデータに分岐点部品のデータが含まれていないか否かを判定する（ステップＳ２１）。形状判定部２２は、分岐点部品のデータが含まれていないと判定した場合（ステップＳ２１：Ｙｅｓ）、軌道回路部品ＢＴの形状パターンとして形状パターンＰ０を選択する（ステップＳ２２）。
【０１０２】
また、形状判定部２２は、分岐点部品のデータが含まれていると判定した場合（ステップＳ２１：Ｎｏ）、軌道回路部品ＢＴのデータに分岐点部品のデータが一つであるか否かを判定する（ステップＳ２３）。形状判定部２２は、分岐点部品のデータが一つであると判定した場合（ステップＳ２３：Ｙｅｓ）、軌道回路部品ＢＴの形状パターンとして形状パターンＰ１を選択する（ステップＳ２４）。
【０１０３】
また、形状判定部２２は、分岐点部品のデータが一つではないと判定した場合（ステップＳ２３：Ｎｏ）、軌道回路部品ＢＴのデータに分岐点部品のデータが二つであるか否かを判定する（ステップＳ２５）。形状判定部２２は、分岐点部品のデータが二つであると判定した場合（ステップＳ２５：Ｙｅｓ）、形状パターンＰ２ｎの判定処理を行う（ステップＳ２６）。ステップＳ２６の処理は、図２１に示すステップＳ３１〜Ｓ４３の処理であり、後で詳述する。
【０１０４】
形状判定部２２は、分岐点部品のデータが二つではないと判定した場合（ステップＳ２５：Ｎｏ）、その他の形状パターンを判定する（ステップＳ２７）。ステップＳ２７において、形状判定部２２は、分岐点部品のデータが三つ以上である場合の軌道回路部品ＢＴの形状パターンを判定する。形状判定部２２は、ステップＳ２２，Ｓ２４，Ｓ２６，Ｓ２７の処理が終了した場合、図２０に示す処理を終了する。
【０１０５】
図２１は、図２０に示すステップＳ２６の処理の一例を示すフローチャートである。図２１に示すように、形状判定部２２は、上述した共通線分部品が二つの分岐点部品のデータにおいて「定義無し」および「定義無し」に設定されているか否かを判定する（ステップＳ３１）。形状判定部２２は、共通線分部品が「定義無し」および「定義無し」に設定されていると判定した場合（ステップＳ３１：Ｙｅｓ）、軌道回路部品ＢＴの形状パターンとして形状パターンＰ２１を選択する（ステップＳ３２）。
【０１０６】
形状判定部２２は、共通線分部品が「定義無し」および「定義無し」に設定されていないと判定した場合（ステップＳ３１：Ｎｏ）、共通線分部品が二つの分岐点部品のデータにおいて「定義無し」および「定位」に設定されているか否かを判定する（ステップＳ３３）。形状判定部２２は、共通線分部品が「定義無し」および「定位」に設定されていると判定した場合（ステップＳ３３：Ｙｅｓ）、軌道回路部品ＢＴの形状パターンとして形状パターンＰ２２を選択する（ステップＳ３４）。
【０１０７】
形状判定部２２は、共通線分部品が「定義無し」および「定位」に設定されていないと判定した場合（ステップＳ３３：Ｎｏ）、共通線分部品が二つの分岐点部品のデータにおいて「定義無し」および「反位」に設定されているか否かを判定する（ステップＳ３５）。形状判定部２２は、共通線分部品が「定義無し」および「反位」に設定されていると判定した場合（ステップＳ３５：Ｙｅｓ）、軌道回路部品ＢＴの形状パターンとして形状パターンＰ２３を選択する（ステップＳ３６）。
【０１０８】
形状判定部２２は、共通線分部品が「定義無し」および「反位」に設定されていないと判定した場合（ステップＳ３５：Ｎｏ）、共通線分部品が二つの分岐点部品のデータにおいて「定位」および「定位」に設定されているか否かを判定する（ステップＳ３７）。形状判定部２２は、共通線分部品が「定位」および「定位」に設定されていると判定した場合（ステップＳ３７：Ｙｅｓ）、軌道回路部品ＢＴの形状パターンとして形状パターンＰ２４を選択する（ステップＳ３８）。
【０１０９】
形状判定部２２は、共通線分部品が「定位」および「定位」に設定されていないと判定した場合（ステップＳ３７：Ｎｏ）、共通線分部品が二つの分岐点部品のデータにおいて「定位」および「反位」に設定されているか否かを判定する（ステップＳ３９）。形状判定部２２は、共通線分部品が「定位」および「反位」に設定されていると判定した場合（ステップＳ３９：Ｙｅｓ）、軌道回路部品ＢＴの形状パターンとして形状パターンＰ２５を選択する（ステップＳ４０）。
【０１１０】
形状判定部２２は、共通線分部品が「定位」および「反位」に設定されていないと判定した場合（ステップＳ３９：Ｎｏ）、共通線分部品が二つの分岐点部品のデータにおいて「反位」および「反位」に設定されているか否かを判定する（ステップＳ４１）。形状判定部２２は、共通線分部品が「反位」および「反位」に設定されていると判定した場合（ステップＳ４１：Ｙｅｓ）、軌道回路部品ＢＴの形状パターンとして形状パターンＰ２６を選択する（ステップＳ４２）。
【０１１１】
形状判定部２２は、共通線分部品が「反位」および「反位」に設定されていないと判定した場合（ステップＳ４１：Ｎｏ）、形状パターンの判定ができないと判定する（ステップＳ４３）。形状判定部２２は、形状パターンの判定ができないと判定した場合、形状パターンの判定ができないことを示すエラー情報を生成する。形状判定部２２は、生成したエラー情報を外部の表示装置などに通知することができる。なお、エラー情報には、形状パターンの判定ができない軌道回路部品ＢＴの情報が含まれる。形状判定部２２は、ステップＳ３２，Ｓ３４，Ｓ３６，Ｓ３８，Ｓ４０，Ｓ４２，Ｓ４３の処理が終了した場合、図２１に示す処理を終了する。
【０１１２】
図２２は、図１９に示すステップＳ１４の処理の一例を示すフローチャートである。図２２に示すように、データ生成部２３は、形状判定部２２で判定した軌道回路部品ＢＴの形状が形状パターンＰ０の形状であるか否かを判定する（ステップＳ５１）。
【０１１３】
データ生成部２３は、形状パターンＰ０の形状であると判定した場合（ステップＳ５１：Ｙｅｓ）、形状パターンＰ０用の表示条件データ作成処理を行う（ステップＳ５２）。ステップＳ５２において、データ生成部２３は、軌道回路部品ＢＴのデータに含まれる線分部品の部品ＩＤに上述した第一条件「定義無し」と同様の表示条件を関連付けた表示条件データを形状パターンＰ０用の表示条件データとして生成する。
【０１１４】
データ生成部２３は、形状パターンＰ０の形状ではないと判定した場合（ステップＳ５１：Ｎｏ）、形状判定部２２で判定した軌道回路部品ＢＴの形状が形状パターンＰ１の形状であるか否かを判定する（ステップＳ５３）。データ生成部２３は、形状パターンＰ１の形状であると判定した場合（ステップＳ５３：Ｙｅｓ）、形状パターンＰ１用の表示条件データ作成処理を行う（ステップＳ５４）。ステップＳ５４に示す処理は、図２３に示すステップＳ６１〜Ｓ６７の処理であり、後で詳述する。
【０１１５】
データ生成部２３は、形状パターンＰ１の形状ではないと判定した場合（ステップＳ５３：Ｎｏ）、形状判定部２２で判定した軌道回路部品ＢＴの形状が形状パターンＰ２１の形状であるか否かを判定する（ステップＳ５５）。データ生成部２３は、形状パターンＰ２１の形状であると判定した場合（ステップＳ５５：Ｙｅｓ）、形状パターンＰ２１用の表示条件データ作成処理を行う（ステップＳ５６）。ステップＳ５６に示す処理は、図２４に示すステップＳ７１〜Ｓ７９の処理であり、後で詳述する。
【０１１６】
データ生成部２３は、形状パターンＰ２１の形状ではないと判定した場合（ステップＳ５５：Ｎｏ）、形状判定部２２で判定した軌道回路部品ＢＴの形状が形状パターンＰ２２の形状であるか否かを判定する（ステップＳ５７）。データ生成部２３は、形状パターンＰ２２の形状であると判定した場合（ステップＳ５７：Ｙｅｓ）、形状パターンＰ２２用の表示条件データ作成処理を行う（ステップＳ５９）。
【０１１７】
データ生成部２３は、形状パターンＰ２２の形状ではないと判定した場合（ステップＳ５７：Ｎｏ）、その他の形状パターン用の表示条件データ作成処理を行う（ステップＳ５９）。例えば、データ生成部２３は、軌道回路部品ＢＴの形状が形状パターンＰ２３の形状である場合、形状パターンＰ２３用の表示条件データ作成処理を行う。形状判定部２２は、ステップＳ５２，Ｓ５４，Ｓ５６，Ｓ５８，Ｓ５９の処理が終了した場合、図２２に示す処理を終了する。
【０１１８】
図２３は、図２２に示すステップＳ５４の処理の一例を示すフローチャートである。図２３に示すように、データ生成部２３は、軌道回路部品ＢＴのデータに含まれる分岐点部品のデータから転てつ器の情報を取得する（ステップＳ６１）。転てつ器の情報は、例えば、上述した転てつ器の名称である。
【０１１９】
また、データ生成部２３は、分岐点部品のデータに含まれる定義なし線分部品を選択する（ステップＳ６２）。定義なし線分部品とは、分岐点部品のデータに含まれる定義なし接続部品の部品ＩＤを有する線分部品である。データ生成部２３は、第一条件に、ステップＳ６２で選択した線分部品の部品ＩＤを設定する（ステップＳ６３）。
【０１２０】
次に、データ生成部２３は、分岐点部品のデータに含まれる定位側線分部品を選択する（ステップＳ６４）。定位側線分部品とは、分岐点部品のデータに含まれる定位側接続部品の部品ＩＤを有する線分部品である。データ生成部２３は、第二条件に、ステップＳ６４で選択した定位側線分部品の部品ＩＤと転てつ器条件を設定する（ステップＳ６５）。第二条件における転てつ器条件は、ステップＳ６１で取得した転てつ器の情報が含まれる。
【０１２１】
次に、データ生成部２３は、分岐点部品のデータに含まれる反位側線分部品を選択する（ステップＳ６６）。反位側線分部品とは、分岐点部品のデータに含まれる反位側接続部品の部品ＩＤを有する線分部品である。データ生成部２３は、第三条件に、ステップＳ６６で選択した反位側線分部品の部品ＩＤと転てつ器条件を設定する（ステップＳ６７）。第三条件における転てつ器条件は、ステップＳ６１で取得した転てつ器の情報が含まれる。データ生成部２３は、ステップＳ６７の処理が終了すると、図２３に示す処理を終了する。
【０１２２】
図２４は、図２２に示すステップＳ５６の処理の一例を示すフローチャートである。図２４に示すように、データ生成部２３は、ステップＳ７１〜Ｓ７３において、図２３に示すステップＳ６１〜Ｓ６３の処理と同様の処理を行う。
【０１２３】
次に、データ生成部２３は、未選択の分岐点部品を一つ選択する（ステップＳ７４）。未選択の分岐点部品とは、後述するステップＳ７５〜Ｓ７８の処理対象となっていない分岐点部品である。データ生成部２３は、ステップＳ７４で選択した分岐点部品のデータに基づき、ステップＳ７５〜Ｓ７８において、図２３に示すステップＳ６４〜Ｓ６７の処理と同様の処理を行う。
【０１２４】
データ生成部２３は、ステップＳ７８の処理が終了すると、未選択の分岐点部品がないか否かを判定する（ステップＳ７９）。データ生成部２３は、未選択の分岐点部品があると判定した場合（ステップＳ７９：Ｎｏ）、処理をステップＳ７４に移行し、未選択の分岐点部品がないと判定した場合（ステップＳ７９：Ｙｅｓ）、図２４に示す処理を終了する。
【０１２５】
ここで、実施の形態１にかかる表示条件データ作成装置２のハードウェア構成について説明する。図２５は、実施の形態１にかかる表示条件データ作成装置のハードウェア構成例を示す図である。図２５に示すように、表示条件データ作成装置２は、プロセッサ１０１と、メモリ１０２と、入出力回路１０３とを備える。プロセッサ１０１、メモリ１０２、および入出力回路１０３は、バス１０４によって互いにデータの送受信が可能である。メモリ１０２は、コンピュータが読み取り可能なプログラムが記録された記録媒体を含む。入出力回路１０３は、データ取得部２１の一部の機能およびデータ出力部２４の一部の機能を実行する。
【０１２６】
プロセッサ１０１は、メモリ１０２に記憶されたプログラムを読み出して実行することによって、上述したデータ取得部２１、形状判定部２２、データ生成部２３、およびデータ出力部２４の機能を実行する。プロセッサ１０１は、処理回路の一例であり、例えば、ＣＰＵ（Central  Processing  Unit）、ＤＳＰ（Digital  Signal  Processer）、およびシステムＬＳＩ（Large  Scale  Integration）のうち一つ以上を含む。メモリ１０２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（Electrically  Erasable  Programmable  Read-Only  Memory）などの、不揮発性または揮発性の半導体メモリ、磁気ディスク、フレキシブルディスク、光ディスク、コンパクトディスク、ミニディスクまたはＤＶＤ（Digital  Versatile  Disc）などである。
【０１２７】
以上のように、実施の形態１にかかる表示条件データ作成装置２は、データ取得部２１と、形状判定部２２と、データ生成部２３とを備える。データ取得部２１は、鉄道路線の運行管理画面４２に表示される鉄道路線の配線図のデータである配線図データに含まれ且つ転てつ器に関連付けられる分岐点部品と分岐点部品に接続される線分部品とで構成される軌道回路部品ＢＴのデータを取得する。形状判定部２２は、データ取得部２１で取得された軌道回路部品ＢＴのデータに含まれる線分部品の分岐点部品への接続条件を示す情報に基づき、軌道回路部品ＢＴの形状を判定する。データ生成部２３は、形状判定部２２で判定された軌道回路部品ＢＴの形状と上述した接続条件を示す情報とに基づき、線分部品に転てつ器の状態が関連付けられた線分部品の運行管理画面４２への表示条件を含む軌道回路部品ＢＴの表示条件データを生成する。これにより、人手によって表示条件データを生成する場合に比べ、表示条件データの作成作業が効率化され表示条件データを容易に作成でき、かつ、ヒューマンエラーを防止することができる。
【０１２８】
また、形状判定部２２は、軌道回路部品ＢＴに含まれる分岐点部品の数に基づき、軌道回路部品ＢＴの形状を判定する。これにより、軌道回路部品ＢＴの形状を容易に判定することができ、表示条件データ作成装置２における処理負荷を軽減することができる。
【０１２９】
また、形状判定部２２は、線分部品が共通に接続される複数の分岐点部品各々への線分部品の接続条件を示す情報に基づいて、軌道回路部品ＢＴの形状を判定する。これにより、複数の分岐点部品を有する軌道回路部品ＢＴの形状を容易に判定することができ、表示条件データ作成装置２における処理負荷を軽減することができる。
【０１３０】
実施の形態２．
実施の形態２では、表示条件データ作成装置の機能を配線図データ作成装置に組み込んだ点で、実施の形態１と異なる。以下においては、実施の形態１と同様の機能を有する構成要素については同一符号を付して説明を省略し、実施の形態１の運行管理システム１００と異なる点を中心に説明する。
【０１３１】
図２６は、実施の形態２にかかる運行管理システムの構成例を示す図である。図２６に示すように、実施の形態２にかかる運行管理システム１００Ａは、配線図データ作成装置１および表示条件データ作成装置２に代えて、配線図データ作成装置１Ａを備える点で、実施の形態１にかかる運行管理システム１００と異なる。配線図データ作成装置１Ａは、情報処理装置の一例である。
【０１３２】
配線図データ作成装置１Ａは、入力部１１と、エディタ部１２と、配線図データ記憶部１３と、配線図データ出力部１４と、表示部１５と、データ取得部２１と、形状判定部２２と、データ生成部２３と、データ出力部２４とを備える。
【０１３３】
配線図データ作成装置１Ａは、エディタ部１２によって運行管理画面４１の編集を行う処理と、データ取得部２１、形状判定部２２、およびデータ生成部２３によって軌道回路部品ＢＴの表示条件データを作成する処理とを変更することができる。したがって、表示条件データの処理を効率的に行うことができる。
【０１３４】
ここで、実施の形態２にかかる配線図データ作成装置１Ａのハードウェア構成について説明する。図２７は、実施の形態２にかかる配線図データ作成装置のハードウェア構成例を示す図である。図２７に示すように、配線図データ作成装置１Ａは、プロセッサ１０１と、メモリ１０２と、入出力回路１０３と、ディスプレイ１０５を備える。プロセッサ１０１、メモリ１０２、入出力回路１０３、およびディスプレイ１０５は、バス１０４によって互いにデータの送受信が可能である。
【０１３５】
メモリ１０２は、コンピュータが読み取り可能なプログラムが記録された記録媒体を含む。プロセッサ１０１は、メモリ１０２に記憶されたプログラムを読み出して実行することによって、エディタ部１２、配線図データ出力部１４、データ取得部２１、形状判定部２２、データ生成部２３、およびデータ出力部２４の機能を実行することができる。なお、配線図データ記憶部１３はメモリ１０２に含まれ、表示部１５は、ディスプレイ１０５で構成される。入出力回路１０３は、配線図データ出力部１４の一部の機能とデータ出力部２４の一部の機能を実行する。
【０１３６】
以上のように、実施の形態２にかかる配線図データ作成装置１Ａは、データ取得部２１、形状判定部２２、およびデータ生成部２３に加え、配線図データを編集するエディタ部１２を備える。これにより、運行管理画面の編集処理と表示条件データの作成処理とを同じ装置で並行して行うことができるため、表示条件データの処理を効率的に行うことができる。
【０１３７】
実施の形態３．
実施の形態３では、表示条件データ作成装置の機能を運行状態表示装置に組み込んだ点で、実施の形態１と異なる。以下においては、実施の形態１と同様の機能を有する構成要素については同一符号を付して説明を省略し、実施の形態１の運行管理システム１００と異なる点を中心に説明する。
【０１３８】
図２８は、実施の形態３にかかる運行管理システムの構成例を示す図である。図２８に示すように、実施の形態３にかかる運行管理システム１００Ｂは、表示条件データ作成装置２および運行状態表示装置３に代えて、運行状態表示装置３Ｂを備える点で、実施の形態１にかかる運行管理システム１００と異なる。運行状態表示装置３Ｂは、情報処理装置の一例である。
【０１３９】
運行状態表示装置３Ｂは、形状判定部２２と、データ生成部２３と、データ出力部２４と、データ取得部３１Ｂと、データ記憶部３２と、表示情報取得部３３と、表示処理部３４と、表示部３５とを備える。データ取得部３１Ｂは、データ取得部２１の機能とデータ取得部３１の機能を有しており、配線図データ作成装置１から取得した配線図データをデータ記憶部３２に記憶し、また、取得した配線図データから軌道回路部品データを取得して形状判定部２２へ出力する。
【０１４０】
配線図データ作成装置１から運行状態表示装置３Ｂが配線図データを取得することで、運行状態表示装置３Ｂで各軌道回路部品ＢＴの表示条件データが自動生成される。そのため、表示条件データ作成装置２を別途設ける必要が無く、効率化を図ることができる。
【０１４１】
また、実施の形態３にかかる運行状態表示装置３Ｂについてのハードウェア構成例は、図２７に示すハードウェア構成例と同様の構成である。プロセッサ１０１は、メモリ１０２に記憶されたプログラムを読み出して実行することによって、形状判定部２２、データ生成部２３、データ出力部２４、データ取得部３１Ｂ、表示情報取得部３３、および表示処理部３４の機能を実行することができる。また、データ記憶部３２はメモリ１０２に含まれ、表示部３５はディスプレイ１０５で構成される。入出力回路１０３は、データ取得部３１Ｂの一部の機能を実行する。
【０１４２】
以上のように、実施の形態３にかかる運行状態表示装置３Ｂは、形状判定部２２およびデータ生成部２３に加え、配線図データを取得するデータ取得部３１Ｂと、配線図データに基づいて、配線図を表示部３５に表示する表示処理部３４を備える。データ取得部３１Ｂは、鉄道路線の線路に配置された軌道回路の状態および転てつ器の状態を示す表示情報を取得する。表示処理部３４は、データ取得部３１Ｂによって取得された表示情報と表示条件データとに基づいて、軌道回路部品ＢＴの表示形状を変更する。これにより、運行状態表示装置３Ｂは、配線図データを取得することで、表示条件データを自動生成し、運行管理画面４２を表示することができるため、表示条件データ作成装置を別途設ける必要が無く、効率化を図ることができる。
【０１４３】
実施の形態４．
実施の形態４では、配線図データ作成装置および表示条件データ作成装置の機能を運行状態表示装置に組み込んだ点で、実施の形態１と異なる。以下においては、実施の形態１と同様の機能を有する構成要素については同一符号を付して説明を省略し、実施の形態１の運行管理システム１００と異なる点を中心に説明する。
【０１４４】
図２９は、実施の形態４にかかる運行管理システムの構成例を示す図である。図２９に示すように、実施の形態４にかかる運行管理システム１００Ｃは、配線図データ作成装置１、表示条件データ作成装置２、および運行状態表示装置３に代えて、運行状態表示装置３Ｃを備える点で、実施の形態１にかかる運行管理システム１００と異なる。運行状態表示装置３Ｃは、情報処理装置の一例である。
【０１４５】
運行状態表示装置３Ｃは、入力部１１と、エディタ部１２と、配線図データ記憶部１３と、配線図データ出力部１４と、形状判定部２２と、データ生成部２３と、データ出力部２４と、データ取得部３１Ｂと、データ記憶部３２と、表示情報取得部３３と、表示処理部３４と、表示部３５とを備える。データ取得部３１Ｂは、データ取得部２１の機能とデータ取得部３１の機能を有しており、配線図データ出力部１４から取得した配線図データをデータ記憶部３２に記憶し、また、取得した配線図データから軌道回路部品データを取得して形状判定部２２へ出力する。
【０１４６】
運行状態表示装置３Ｃで配線図を作成することで、各軌道回路部品ＢＴの表示条件データが自動生成される。そのため、配線図データ作成装置１および表示条件データ作成装置２を別途設ける必要が無く、効率化を図ることができる。また、運行管理画面４２が表示される表示部３５で運行管理画面４１を編集することができるため、運行管理画面４１と運行管理画面４２とを同一表示形態にすることで、運行管理画面４１の編集をより効率的に行うことができる。
【０１４７】
また、実施の形態３にかかる運行状態表示装置３Ｃについてのハードウェア構成例は、図２７に示すハードウェア構成例と同様の構成である。プロセッサ１０１は、メモリ１０２に記憶されたプログラムを読み出して実行することによって、エディタ部１２、配線図データ出力部１４、形状判定部２２、データ生成部２３、データ出力部２４、データ取得部３１Ｂ、表示情報取得部３３、および表示処理部３４の機能を実行することができる。また、配線図データ記憶部１３およびデータ記憶部３２はメモリ１０２に含まれ、表示部１５はディスプレイ１０５で構成され、入力部１１は、入出力回路１０３で構成される。
【０１４８】
以上のように、実施の形態４にかかる運行状態表示装置３Ｃは、実施の形態３にかかる運行状態表示装置３Ｂの構成に加え、実施の形態１にかかる配線図データ作成装置１の構成を備える。したがって、運行状態表示装置３Ｃで配線図を作成することで、各軌道回路部品ＢＴの表示条件データが自動生成され、運行管理画面４２を表示することができるため、効率化を図ることができる。
【０１４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１５０】
１，１Ａ  配線図データ作成装置、２  表示条件データ作成装置、３，３Ｂ，３Ｃ  運行状態表示装置、１１  入力部、１２  エディタ部、１３  配線図データ記憶部、１４  配線図データ出力部、１５，３５  表示部、２１，３１，３１Ｂ  データ取得部、２２  形状判定部、２３  データ生成部、２４  データ出力部、３２  データ記憶部、３３  表示情報取得部、３４  表示処理部、４１，４２  運行管理画面、４３，４８，４９  転てつ器、４３Ｔ，４８Ｔ  軌道回路、５０  表示情報割り当てテーブル、６０，７０  ひな形、１００，１００Ａ，１００Ｂ，１００Ｃ  運行管理システム。
【図１】
2019119349.tif 000003
【図２】
2019119349.tif 000004
【図３】
2019119349.tif 000005
【図４】
2019119349.tif 000006
【図５】
2019119349.tif 000007
【図６】
2019119349.tif 000008
【図７】
2019119349.tif 000009
【図８】
2019119349.tif 000010
【図９】
2019119349.tif 000011
【図１０】
2019119349.tif 000012
【図１１】
2019119349.tif 000013
【図１２】
2019119349.tif 000014
【図１３】
2019119349.tif 000015
【図１４】
2019119349.tif 000016
【図１５】
2019119349.tif 000017
【図１６】
2019119349.tif 000018
【図１７】
2019119349.tif 000019
【図１８】
2019119349.tif 000020
【図１９】
2019119349.tif 000021
【図２０】
2019119349.tif 000022
【図２１】
2019119349.tif 000023
【図２２】
2019119349.tif 000024
【図２３】
2019119349.tif 000025
【図２４】
2019119349.tif 000026
【図２５】
2019119349.tif 000027
【図２６】
2019119349.tif 000028
【図２７】
2019119349.tif 000029
【図２８】
2019119349.tif 000030
【図２９】
2019119349.tif 000031